(57)【特許請求の範囲】
【請求項１】
施工対象の設計を行い、設計に際して前記施工対象を構成する部材の属性データを生成するＣＡＤ装置と、無線通信を行う通信回路、文字または画像を表示する表示器、データを入力する入力キーおよび写真撮影を行うカメラを有する携帯端末装置とを備えた施工管理システムであって、
前記ＣＡＤ装置は、
前記属性データを生成する属性データ生成手段と、
前記属性データ生成手段により生成された属性データを記憶する属性データ記憶手段と、
前記属性データ生成手段により生成された属性データをエンコードすることにより２次元コードを生成するエンコード手段と、
前記エンコード手段により生成された２次元コードを、前記部材に貼付可能なラベルに印刷装置により印刷する２次元コード印刷手段と、
前記携帯端末装置から送信された施工状態データを受け取り、当該受け取った施工状態データに含まれる属性データに基づいて前記属性データ記憶手段に記憶された属性データを必要に応じて変更すると共に、前記施工状態データに含まれる画像データを前記属性データ記憶手段に記憶された属性データに付加する画像付加手段とを備え、
前記携帯端末装置は、
前記２次元コード印刷手段により前記ラベルに印刷された２次元コードを前記カメラにより読み取るコード読取手段と、
前記コード読取手段により読み取られた２次元コードをデコードすることにより属性データを復元するデコード手段と、
前記デコード手段により復元された属性データを前記表示器に表示する属性データ表示手段と、
前記デコード手段により復元された属性データを前記入力キーの操作に従って変更または削除し、あるいは前記デコード手段により復元された属性データに新たな属性データを前記入力キーの操作に従って追加する属性データ変更手段と、
前記施工対象を前記カメラで撮影することにより前記施工対象の前記画像データを生成する撮影手段と、
前記デコード手段により復元された属性データまたは前記属性データ変更手段により変更、削除もしくは追加が加えられた属性データと、前記撮影手段により生成された画像データとを含む前記施工状態データを前記通信回路により外部に送信するデータ送信手段とを備えていることを特徴とする施工管理システム。
【請求項２】
前記携帯端末装置は、前記属性データとして選択可能な複数の選択肢にそれぞれ対応する複数の選択肢データを記憶した選択肢記憶手段を備え、
前記属性データ変更手段は、前記選択肢記憶手段に記憶された複数の選択肢データの中から任意の選択肢データを前記入力キーの操作に従って選択することで、前記デコード手段により復元された属性データの変更または前記デコード手段により復元された属性データへの新たな属性データの追加を行うことを特徴とする請求項１に記載の施工管理システム。
【請求項３】
前記携帯端末装置から送信された施工状態データを受信し、当該受信した施工状態データを蓄積するデータ蓄積手段と、
前記データ蓄積手段により蓄積された複数の施工状態データを用いて前記施工対象に係る施工記録書を生成する施工記録書生成手段とを備えていることを特徴とする請求項１または２に記載の施工管理システム。
【請求項４】
施工対象の設計を行うＣＡＤ装置と、無線通信を行う通信回路、文字または画像を表示する表示器、データを入力する入力キーおよび写真撮影を行うカメラを有する携帯端末装置とを用いて施工対象の施工を管理する施工管理方法であって、
前記施工対象の設計を行うに際して前記施工対象を構成する部材の属性データをＣＡＤ装置により生成し、当該生成した属性データを前記ＣＡＤ装置に設けられた属性データ記憶手段に記憶する属性データ生成工程と、
前記属性データ生成工程において生成された属性データを前記ＣＡＤ装置によりエンコードすることにより２次元コードを生成するエンコード工程と、
前記エンコード工程において生成された２次元コードを印刷装置によりラベルに印刷する２次元コード印刷工程と、
前記２次元コード印刷工程において２次元コードが印刷された前記ラベルを前記部材に貼付した後、当該ラベルに印刷された２次元コードを前記携帯端末装置のカメラにより読み取るコード読取工程と、
前記コード読取工程において読み取られた２次元コードを前記携帯端末装置でデコードすることにより属性データを復元するデコード工程と、
前記デコード工程において復元された属性データを前記携帯端末装置の表示器に表示する属性データ表示工程と、
前記デコード工程において復元された属性データを前記入力キーの操作に従って前記携帯端末装置により変更または削除し、あるいは前記デコード工程において復元された属性データに新たな属性データを前記入力キーの操作に従って前記携帯端末装置により追加する属性データ変更工程と、
前記施工対象を前記携帯端末装置のカメラで撮影することにより前記施工対象の画像データを生成する撮影工程と、
前記デコード工程において復元された属性データあるいは前記属性データ変更工程において変更、削除または追加が加えられた属性データと、前記撮影工程において生成された画像データとを含む施工状態データを前記通信回路により前記携帯端末装置から外部に送信するデータ送信工程と、
前記データ送信工程において送信された施工状態データを前記ＣＡＤ装置により受け取り、当該受け取った施工状態データに含まれる属性データに基づいて前記ＣＡＤ装置の属性データ記憶手段に記憶された属性データを前記ＣＡＤ装置により必要に応じて変更すると共に、前記施工状態データに含まれる画像データを前記属性データ記憶手段に記憶された属性データに前記ＣＡＤ装置により付加する画像付加工程とを備えていることを特徴とする施工管理方法。
【発明の詳細な説明】
【技術分野】
【０００１】
本発明は、ＣＡＤ（Ｃｏｍｐｕｔｅｒ  Ａｉｄｅｄ  Ｄｅｓｉｇｎ）装置および携帯端末装置等を用いて建築設備等の施工を管理する施工管理システムおよび施工管理方法に関する。
【背景技術】
【０００２】
従来、建築設備、例えば建物の空気調和設備の設計および施工を行う場合には、まず、設計者が、ＣＡＤソフトウェアのインストールされたパーソナルコンピュータ等（これを「ＣＡＤ装置」という。）により空気調和設備の設計を行う。続いて、施工作業者が、設計書等を携えて現場に赴き、空気調和設備を構成する配管等の部材を設計に従って設備に組み付ける施工作業を行う。そして、施工作業後、あるいは施工作業途中の適切な段階で、施工管理者または施工作業者が、実際の施工状態の確認および記録のために、設備に組み付けられた部材を、日時および当該部材の属性データ等を書き記した黒板あるいはホワイトボードと共に、カメラにより撮影する。このように撮影された写真は、施工記録の一部としてファイルされ、施工履歴として保管される。
【０００３】
また、下記の特許文献１には、施工状態を検査し易くし、また、工事記録として分かり良い工事記録写真を撮影することを目指した写真撮影指示装置が記載されている。
【先行技術文献】
【特許文献】
【０００４】
【特許文献１】特開平６−１９４７３８号公報
【発明の概要】
【発明が解決しようとする課題】
【０００５】
上述したような従来の方法による設備の設計および施工において、次のような問題がある。すなわち、従来の方法では、実際の施工状態の確認および記録のために、施工管理者または施工作業者が、設備に組み付けられた部材を、日時および当該部材の属性データが書き記された黒板あるいはホワイトボードと共にカメラで撮影する。施工管理者または施工作業者は、この撮影の前に現場で、設計書等を確認しながら、日時および部材の属性データを、インクペン等を用いてホワイトボード等に書き込む。このように、現場で日時や属性データをホワイトボード等に書き込み、また、現場にホワイトボード等を持ち運ぶことは施工管理者または施工作業者にとって手間がかかるという問題がある。また、施工管理者または施工作業者が、誤った属性データをホワイトボード等に書き込んでしまうおそれがあり、このような事態が生じた場合には、事後的に誤りを発見することは容易でなく、また、誤りを発見できた場合には、誤りを修正する作業が生じ、施工管理が煩雑となるという問題がある。
【０００６】
また、現場で設備に部材を組み付ける際、設備の実際上の施工状態等により、部材が設計書通りに組み付けられない場合がある。この場合には、施工作業者が、設計の修正を適宜行いながら部材を組み付けることがある。このような事態が生じた場合、現場で部材の属性が変更されることとなるため、部材の実際上の属性と部材の設計上の属性データとの間に相違が生じることとなる。それゆえ、後に、ＣＡＤ装置に記憶された設計上の属性データを、実際上の部材の属性と一致するように変更する必要がある。この属性データの変更作業は、例えば設計者または施工管理者がＣＡＤ装置を操作して手入力により行うのであるが、誤りが生じやすく、またこの作業自体をし忘れてしまう場合があり、この結果、施工管理が煩雑化するという問題がある。
【０００７】
また、上記特許文献１に記載の写真撮影指示装置では、上述したような施工管理の煩雑化を改善することは困難である。
【０００８】
本発明は例えば上述したような問題に鑑みなされたものであり、本発明の第１の課題は、施工現場において施工状態の確認または記録を行う際に、部材の属性データを容易にかつ正確に確認または記録することができ、施工管理の効率性および信頼性を高めることができる施工管理システムおよび施工管理方法を提供することにある。
【０００９】
また、本発明の第２の課題は、ＣＡＤ装置に記憶された部材の設計上の属性データを、施工後の部材の実際上の属性に一致するように容易にかつ正確に変更することができ、施工管理の効率性および信頼性を高めることができる施工管理システムおよび施工管理方法を提供することにある。
【課題を解決するための手段】
【００１０】
上記課題を解決するために、本発明の第１の施工管理システムは、施工対象の設計を行い、設計に際して前記施工対象を構成する部材の属性データを生成するＣＡＤ装置と、無線通信を行う通信回路、文字または画像を表示する表示器、データを入力する入力キーおよび写真撮影を行うカメラを有する携帯端末装置とを備えた施工管理システムであって、前記ＣＡＤ装置は、前記属性データを生成する属性データ生成手段と、前記属性データ生成手段により生成された属性データを記憶する属性データ記憶手段と、前記属性データ生成手段により生成された属性データをエンコードすることにより２次元コードを生成するエンコード手段と、前記エンコード手段により生成された２次元コードを、前記部材に貼付可能なラベルに印刷装置により印刷する２次元コード印刷手段と、前記携帯端末装置から送信された施工状態データを受け取り、当該受け取った施工状態データに含まれる属性データに基づいて前記属性データ記憶手段に記憶された属性データを必要に応じて変更すると共に、前記施工状態データに含まれる画像データを前記属性データ記憶手段に記憶された属性データに付加する画像付加手段とを備え、前記携帯端末装置は、前記２次元コード印刷手段により前記ラベルに印刷された２次元コードを前記カメラにより読み取るコード読取手段と、前記コード読取手段により読み取られた２次元コードをデコードすることにより属性データを復元するデコード手段と、前記デコード手段により復元された属性データを前記表示器に表示する属性データ表示手段と、前記デコード手段により復元された属性データを前記入力キーの操作に従って変更または削除し、あるいは前記デコード手段により復元された属性データに新たな属性データを前記入力キーの操作に従って追加する属性データ変更手段と、前記施工対象を前記カメラで撮影することにより前記施工対象の前記画像データを生成する撮影手段と、前記デコード手段により復元された属性データまたは前記属性データ変更手段により変更、削除もしくは追加が加えられた属性データと、前記撮影手段により生成された画像データとを含む前記施工状態データを前記通信回路により外部に送信するデータ送信手段とを備えていることを特徴とする。
【００１１】
本発明の第１の施工管理システムにおいて、まず、事業所等にて、利用者は、施工対象を構成する部材の属性データを生成し、さらに当該属性データの２次元コードを生成すべくＣＡＤ装置を操作する。これに応じ、ＣＡＤ装置は、部材の属性データを生成し、これを属性データ記憶手段に記憶し、さらに、当該属性データをエンコードし、２次元コードを生成する。利用者は、この２次元コードをラベル用紙に印刷する。なお、本発明の施工管理システムを利用する者を「利用者」と呼ぶが、この利用者には、主にＣＡＤ装置を操作して部材の属性データの作成を含む施工対象の設計作業を行う設計者、主に施工現場において施工対象の施工作業を行う施工作業者、および主に施工対象の設計および施工を含む作業を全体的に管理する施工管理者等が含まれる。
【００１２】
現場において、利用者は、２次元コードが印刷されたラベルを部材に貼る。そして、利用者は、施工状態の確認を行う際に、携帯端末装置により当該２次元コードを撮影すべく携帯端末装置を操作する。これに応じ、携帯端末装置は、カメラにより当該２次元コードを撮影し、当該撮影した２次元コードをデコードして属性データを復元し、当該属性データを表示器に表示する。
【００１３】
現場において、利用者は、携帯端末装置の表示器に表示された部材の属性データ（設計上の属性データ）と、部材の実際上の属性とを比較し、施工状態を確認する。施工時に部材の組付状態が設計と異なり、部材の実際上の属性が設計上の属性データと異なった場合には、利用者は、携帯端末装置の入力キーを操作し、表示器に表示された設計上の属性データを、実際上の属性と一致するようにその場で変更し、削除し、追加することができる。このような操作が行われた場合には、携帯端末装置は、復元された属性データを変更し、削除し、あるいは復元された属性データに新たな属性データを追加する。
【００１４】
また、現場において、利用者は、施工状態を記録するために、実際に施工された部材を撮影すべく携帯端末装置を操作する。これに応じ、携帯端末装置は、カメラにより当該部材を撮影し、当該撮影した部材の画像データを生成する。
【００１５】
さらに、現場において、利用者は、必要に応じて変更、削除、追加を行った属性データと、撮影した画像データとを、事業者に設けられたパーソナルコンピュータやサーバコンピュータ等に送信すべく携帯端末装置を操作する。これに応じ、携帯端末装置は属性データと画像データとを含む施工状態データを通信回路により送信する。
【００１６】
そして、事業所等において、利用者は、携帯端末装置から送信された施工状態データをＣＡＤ装置に入力する。これに応じ、ＣＡＤ装置は、施工状態データに含まれる実際上の属性データ（施工現場で変更、削除、追加が行われた属性データ）と当該ＣＡＤ装置の属性データ記憶手段に記憶された設計上の属性データとが一致するように、当該設計上の属性データを変更する。さらに、ＣＡＤ装置は、施工状態データに含まれる画像データを、ＣＡＤ装置の属性データ記憶手段に記憶された属性データに付加する。
【００１７】
このように本発明の第１の施工管理システムでは、施工現場において施工状態を確認および記録する作業を、携帯端末装置の操作だけでほぼ完了することができる。すなわち、利用者は、施工現場において施工状態の確認および記録をするために、（１）携帯端末装置による２次元コードの読取、（２）携帯端末装置の表示器に表示された属性データの必要に応じた変更、削除または追加、（３）施工された部材の写真撮影、および（４）携帯端末装置からの属性データおよび画像データの送信を行えばよい。これにより、本発明の第１の施工管理システムによれば、当該確認・記録作業を容易にかつ正確に行うことができ、作業の過程で誤った属性データが記録されることを防止することができる。また、現場にホワイトボード等を持ち運ぶ手間や、ホワイトボード等に属性データ等を手書きする手間をなくすことができる。したがって、施工管理の効率性および信頼性を高めることができる。
【００１８】
また、本発明の第１の施工管理システムによれば、携帯端末装置から送信された施工状態データを用いることにより、ＣＡＤ装置に記憶された部材の設計上の属性データを、施工後の部材の実際上の属性データに一致するように容易にかつ正確に変更することができる。したがって、施工管理の効率性および信頼性を高めることができる。
【００１９】
さらに、ＣＡＤ装置に記憶された部材の属性データに当該部材の画像データを付加することで、施工管理の効率性をより一層高めることができる。
【００２０】
上記課題を解決するために、本発明の第２の施工管理システムは、上述した本発明の第１の施工管理システムにおいて、前記携帯端末装置は、前記属性データとして選択可能な複数の選択肢にそれぞれ対応する複数の選択肢データを記憶した選択肢記憶手段を備え、前記属性データ変更手段は、前記選択肢記憶手段に記憶された複数の選択肢データの中から任意の選択肢データを前記入力キーの操作に従って選択することで、前記デコード手段により復元された属性データの変更または前記デコード手段により復元された属性データへの新たな属性データの追加を行うことを特徴とする。
【００２１】
本発明の第２の施工管理システムによれば、利用者は、携帯端末装置の表示部に表示された部材の属性データを、携帯端末装置を操作して選択肢を選択するだけで変更または追加することができるので、属性データの変更・追加を容易に行うことができ、また、属性データの記録に誤りが生じることを防止することができる。
【００２２】
上記課題を解決するために、本発明の第３の施工管理システムは、上述した本発明の第１または第２の施工管理システムにおいて、前記携帯端末装置から送信された施工状態データを受信し、当該受信した施工状態データを蓄積するデータ蓄積手段と、前記データ蓄積手段により蓄積された複数の施工状態データを用いて前記施工対象に係る施工記録書を生成する施工記録書生成手段とを備えていることを特徴とする。
【００２３】
本発明の第３の施工管理システムによれば、携帯端末装置から送信され、蓄積された施工状態データに基づいて施工記録書を容易に生成することができる。また、携帯端末装置から送信された施工状態データには、実際の施工状態に即した部材の属性データと画像データとが含まれているので、実際の施工状態に合致した正確な情報が記載された施工記録書を生成することができる。したがって、施工管理の効率性および信頼性を高めることができる。
【００２４】
上記課題を解決するために、本発明の施工管理方法は、施工対象の設計を行うＣＡＤ装置と、無線通信を行う通信回路、文字または画像を表示する表示器、データを入力する入力キーおよび写真撮影を行うカメラを有する携帯端末装置とを用いて施工対象の施工を管理する施工管理方法であって、前記施工対象の設計を行うに際して前記施工対象を構成する部材の属性データをＣＡＤ装置により生成し、当該生成した属性データを前記ＣＡＤ装置に設けられた属性データ記憶手段に記憶する属性データ生成工程と、前記属性データ生成工程において生成された属性データを前記ＣＡＤ装置によりエンコードすることにより２次元コードを生成するエンコード工程と、前記エンコード工程において生成された２次元コードを印刷装置によりラベルに印刷する２次元コード印刷工程と、前記２次元コード印刷工程において２次元コードが印刷された前記ラベルを前記部材に貼付した後、当該ラベルに印刷された２次元コードを前記携帯端末装置のカメラにより読み取るコード読取工程と、前記コード読取工程において読み取られた２次元コードを前記携帯端末装置でデコードすることにより属性データを復元するデコード工程と、前記デコード工程において復元された属性データを前記携帯端末装置の表示器に表示する属性データ表示工程と、前記デコード工程において復元された属性データを前記入力キーの操作に従って前記携帯端末装置により変更または削除し、あるいは前記デコード工程において復元された属性データに新たな属性データを前記入力キーの操作に従って前記携帯端末装置により追加する属性データ変更工程と、前記施工対象を前記携帯端末装置のカメラで撮影することにより前記施工対象の画像データを生成する撮影工程と、前記デコード工程において復元された属性データあるいは前記属性データ変更工程において変更、削除または追加が加えられた属性データと、前記撮影工程において生成された画像データとを含む施工状態データを前記通信回路により前記携帯端末装置から外部に送信するデータ送信工程と、前記データ送信工程において送信された施工状態データを前記ＣＡＤ装置により受け取り、当該受け取った施工状態データに含まれる属性データに基づいて前記ＣＡＤ装置の属性データ記憶手段に記憶された属性データを前記ＣＡＤ装置により必要に応じて変更すると共に、前記施工状態データに含まれる画像データを前記属性データ記憶手段に記憶された属性データに前記ＣＡＤ装置により付加する画像付加工程とを備えていることを特徴とする。
【００２５】
本発明の施工管理方法によれば、上述した本発明の施工管理システムと同様に、施工管理の効率性および信頼性を高めることができる。
【発明の効果】
【００２６】
本発明によれば、施工現場において施工状態の確認または記録を行う際に、部材の属性データを容易にかつ正確に確認または記録することができ、施工管理の効率性および信頼性を高めることができる。また、ＣＡＤ装置に記憶された部材の設計上の属性データを、施工後の部材の実際上の属性に一致するように容易にかつ正確に変更することができ、施工管理の効率性および信頼性を高めることができる。
【図面の簡単な説明】
【００２７】
【図１】本発明の実施形態による施工管理システムを示すブロック図である。
【図２】本発明の実施形態による施工管理システムによる施工管理の流れを示すフローチャートである。
【図３】本発明の実施形態による施工管理システムにおいて、ＣＡＤ装置による２次元コードの生成等を示す説明図である。
【図４】本発明の実施形態による施工管理システムにおいて、携帯端末装置による属性データの変更、写真撮影、メール送信等を示す説明図である。
【図５】本発明の実施形態による施工管理システムにおいて、携帯端末装置による属性データの変更等を示す説明図である。
【図６】本発明の実施形態による施工管理システムにおいて、携帯端末装置に記憶されたアイテムデータを示す説明図である。
【図７】本発明の実施形態による施工管理システムにおいて、ＣＡＤ装置による属性データの反映、画像データの付加等を示す説明図である。
【図８】本発明の実施形態による施工管理システムにおいて、記録書生成装置により生成される施工記録書を示す説明図である。
【発明を実施するための形態】
【００２８】
以下、本発明の実施の形態について図面を参照しながら説明する。図１は、本発明の実施形態による施工管理システムを示している。図１において、施工管理システム１は、建築設備等の施工を管理するシステムである。施工管理システム１は、パーソナルコンピュータ（ＰＣ）２と、携帯端末装置３とを備えている。
【００２９】
パーソナルコンピュータ２は例えば事業所等に置かれている。パーソナルコンピュータ２は、一般的なパーソナルコンピュータと同様に、ＣＰＵ（Ｃｅｎｔｒａｌ  Ｐｒｏｃｅｓｓｉｎｇ  Ｕｎｉｔ）、メモリ、インターネットに接続することができる通信インターフェイス、ＵＳＢ（Ｕｎｉｖｅｒｓａｌ  Ｓｅｒｉａｌ  Ｂｕｓ）ポート等のデータ入出力ポート、ディスクドライブ、モニタ、キーボード、マウス等を備えている。上記メモリは、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク等である。なお、パーソナルコンピュータ２に代えて、サーバコンピュータ等の他の種類のコンピュータを用いてもよい。
【００３０】
パーソナルコンピュータ２の上記メモリには、ＣＡＤプログラム、メールプログラムおよび記録書生成プログラムを含む種々のコンピュータプログラム（ソフトウェア）が記憶されている。パーソナルコンピュータ２は、そのＣＰＵがＣＡＤプログラムを上記メモリから読み出して実行することにより、ＣＡＤ装置４として機能する。また、パーソナルコンピュータ２は、そのＣＰＵがメールプログラムを上記メモリから読み出して実行することにより、メールボックス５としても機能する。さらに、パーソナルコンピュータ２は、そのＣＰＵが記録書生成プログラムを上記メモリから読み出して実行することにより、記録書生成装置６としても機能する。
【００３１】
ＣＡＤ装置４は、一般的なＣＡＤとしての機能の他、後述するように、設備を構成する各部材（例えば配管等）の属性データを２次元コード（２次元バーコード）にエンコードする機能や、施工現場において変更された部材の属性データ（実際上の属性データ）を設計上の属性データに自動的に反映させる機能、および施工現場において写真撮影された部材等の画像データを設計上の属性データに付加する機能等を有している。ＣＡＤ装置４は、ＣＡＤ部７、エンコード部８、およびデータインポート部９を備えている。
【００３２】
ＣＡＤ部７は、一般的なＣＡＤ（例えば３次元ＣＡＤ）としての機能を実現する部分である。すなわち、ＣＡＤ部７は、利用者によるパーソナルコンピュータ２のキーボード、マウス等の操作に従い、設備を構成する各部材の部材オブジェクトデータを生成し、この部材オブジェクトデータをパーソナルコンピュータ２のメモリに記憶する。部材オブジェクトデータは、概ね、設備を構成する部材ごとに生成され、各部材オブジェクトデータには、部材の属性データが含まれている。属性データには、部材の名称・寸法・形状等、部材固有の情報の他、設備が設けられる建物等の名称（現場名）、部材の機能・役割（項目）、部材を組み付ける場所（階数、工区、部屋名）、部材が属する系統（系統名）、部材に関わる目的・用途・作用（種別）等が含まれている。なお、ＣＡＤ部７は属性データ生成手段および属性データ記憶手段の具体例である。
【００３３】
エンコード部８は、各部材の属性データを２次元コードに変換する機能を実現する部分である。すなわち、エンコード部８は、ＣＡＤ部７により生成された部材オブジェクトデータに含まれる属性データをエンコードすることにより、２次元コードを生成する。２次元コードは、例えばＱＲコード（登録商標）である。なお、エンコード部８はエンコード手段の具体例である。
【００３４】
データインポート部９は、施工現場において変更された部材の属性データ（実際上の属性データ）を設計上の属性データに自動的に反映させると共に、施工現場において写真撮影された部材等の画像データを設計上の属性データに付加する機能を実現する部分である。すなわち、データインポート部９は、後述するように、携帯端末装置３から送信され、メールボックス５に一旦記憶された施工状態データを利用者がメールボックス５からＣＡＤ装置４にインポートしたときに、この施工状態データに含まれる属性データ（実際上の属性データ）に基づいて、ＣＡＤ部７により生成されてパーソナルコンピュータ２のメモリに記憶された属性データ（設計上の属性データ）を必要に応じて変更すると共に、施工状態データに含まれる画像データを当該設計上の属性データに付加する。なお、データインポート部９は画像付加手段の具体例である。
【００３５】
メールボックス５は、外部から送信され、パーソナルコンピュータ２の上記通信インターフェイスを介して受信された電子メールを記憶・蓄積する機能を有する。具体的には、携帯端末装置３から送信された施工状態データを記憶・蓄積する。なお、メールボックス５はデータ蓄積手段の具体例である。
【００３６】
記録書生成装置６は、メールボックス５に蓄積された施工状態データを用いて、設備の施工に係る施工記録書を自動的に生成する機能を有する。
【００３７】
一方、携帯端末装置３は、例えば設備の施工現場において利用者により携帯される。携帯端末装置３は、例えば多機能携帯電話機、スマートフォン、モバイルコンピュータ等である。携帯端末装置３は、携帯可能な小型かつ軽量な装置であり、ＣＰＵ、メモリ、移動体通信網と接続する通信回路、アンテナ、データ入出力ポート、液晶ディスプレイ等の表示器、入力キー、カメラ、マイク、およびスピーカ等を備えている。
【００３８】
携帯端末装置３は、携帯電話機としての一般的な通話・データ通信機能の他、２次元コードを読み取り、これをデコードして属性データを復元し、当該復元した属性データを上記表示器に表示する機能や、利用者による入力キーの操作に従い、属性データの変更等を行う機能、施工現場において部材を写真撮影して画像データを生成する機能、属性データおよび画像データを外部にメール送信する機能等を有している。携帯端末装置３は、コード読取部１１、デコード部１２、属性データ表示部１３、属性データ変更部１４、撮影部１５、およびデータ送信部１６を備えている。これらの構成要素は、携帯端末装置３のメモリに記憶された施工管理プログラムを携帯端末装置３のＣＰＵが読み出して実行することにより実現される。また、携帯端末装置３のメモリには、上記プログラムの他に、後述するユーザデータ、アイテムデータ等が記憶されている。なお、携帯端末装置３のメモリは選択肢記憶手段の具体例である。
【００３９】
コード読取部１１は、ＣＡＤ装置４のエンコード部８により生成された２次元コードを携帯端末装置３のカメラにより読み取る。なお、コード読取部１１はコード読取手段の具体例である。
【００４０】
デコード部１２は、コード読取部１１により読み取られた２次元コードをデコードすることにより属性データを復元する。なお、デコード部１２はデコード手段の具体例である。
【００４１】
属性データ表示部１３は、デコード部１２により復元された属性データを携帯端末装置３の表示器に表示する。なお、属性データ表示部１３は属性データ表示手段の具体例である。
【００４２】
属性データ変更部１４は、デコード部１２により復元された属性データを、利用者による携帯端末装置３の入力キーの操作に従って変更または削除し、あるいはデコード部１２により復元された属性データに新たな属性データを、利用者による携帯端末装置３の入力キーの操作に従って追加する。なお、属性データ変更部１４は属性データ変更手段の具体例である。
【００４３】
撮影部１５は、施工現場において設備に組み付けられた部材等をカメラで写真撮影することにより画像データを生成する。なお、撮影部１５は撮影手段の具体例である。
【００４４】
データ送信部１６は、デコード部１２により復元された属性データまたは属性データ変更部１４により変更、削除または追加が加えられた属性データと、撮影部１５により生成された画像データとを含む施工状態データを、携帯端末装置３の通信回路を介して外部に送信する。なお、データ送信部１６はデータ送信手段の具体例である。
【００４５】
図２は、このような構成を有する施工管理システム１による施工管理の流れを示している。図２に示すように、施工管理システム１による施工管理の流れは、データ生成段階、現場確認修正段階、データ反映段階および記録書生成段階に分けることができる。データ生成段階とは、事業所等において、ＣＡＤ装置４により部材オブジェクトデータを生成し、部材オブジェクトデータに含まれる属性データから２次元コードを生成する段階（ステップＳ１〜Ｓ３）である。現場確認修正段階とは、施工現場において、携帯端末装置３により、２次元コードから属性データを復元し、実際の施工状態と照らし合わせて属性データの確認・変更等を行い、設備に組み付けられた部材等を写真撮影し、変更等を行った属性データと写真撮影により得られた画像データとを施工状態データとしてメール送信する段階（ステップＳ４〜Ｓ１０）である。データ反映段階とは、事業所等において、携帯端末装置３から送信された施工状態データに基づいて、設計上の属性データを変更し、当該設計上の属性データに画像データを付加する段階（ステップＳ１１〜Ｓ１２）である。記録書生成段階とは、事業所等において、記録書生成装置６により、施工状態データを用いて施工記録書を生成する段階（ステップＳ１３〜Ｓ１４）である。
【００４６】
図３はデータ生成段階におけるＣＡＤ装置４の動作を示している。これより、図２および図３を参照しながら、データ生成段階におけるＣＡＤ装置４の動作等について説明する。
【００４７】
データ生成段階において、まず、利用者は、パーソナルコンピュータ２のキーボード、マウス等を操作し、ＣＡＤ装置４により部材オブジェクトデータを作成する。利用者による操作に従って、ＣＡＤ装置４のＣＡＤ部７は、部材オブジェクトデータを生成し、パーソナルコンピュータ２のメモリに記憶する（ステップＳ１）。
【００４８】
部材オブジェクトの生成処理において、ＣＡＤ部７は、部材オブジェクトの画像をパーソナルコンピュータ２のモニタの画面２１に表示する。また、利用者が部材オブジェクトをマウス等により指定した場合には、ＣＡＤ部７は、指定された部材オブジェクトの画像の表示態様を変えることにより、当該指定された部材オブジェクトを他の部材オブジェクトから識別できるようにする。さらに、ＣＡＤ部７は、指定された部材オブジェクトの属性データ等を記載した部材オブジェクトウィンドウ２２を表示する。例えば、図３には、画面２１中に、利用者により指定された部材オブジェクト２３Ａの画像が、他の部材オブジェクト２３Ｂ、２３Ｃの画像とは異なる表示態様で表示されると共に、当該指定された部材オブジェクト２３Ａの属性データ等が記載された部材オブジェクトウィンドウ２２が表示された状態が示されている。また、上述したように、ＣＡＤ部７は概ね部材ごとに部材オブジェクトデータを生成し、記憶する。また、各部材オブジェクトデータには部材の属性データが含まれている。図３には、画面２１中の部材オブジェクト２３Ａ、２３Ｂ、２３Ｃの部材オブジェクトデータ２４Ａ、２４Ｂ、２４Ｃと、それらにそれぞれ含まれる属性データ２５Ａ、２５Ｂ、２５Ｃが示されている。
【００４９】
次に、利用者は、パーソナルコンピュータ２のキーボード、マウス等を操作し、各部材の属性データに対応する２次元コードを作成する。利用者による操作に従って、ＣＡＤ装置４のエンコード部８は、各部材オブジェクトデータに含まれる属性データをエンコードし、属性データに対応する２次元コードを生成し、パーソナルコンピュータ２のメモリに記憶する（ステップＳ２）。図３には、部材オブジェクトデータ２４Ａ、２４Ｂ、２４Ｃに含まれる属性データ２５Ａ、２５Ｂ、２５Ｃにそれぞれ対応する２次元コード２６Ａ、２６Ｂ、２６Ｃが示されている。なお、２次元コードの生成は、利用者により、個々の部材オブジェクトデータが指定され、２次元コードを生成する旨の指示が入力されたとき行われる構成としてもよいし、部材オブジェクトデータの生成の際に自動的に行われる構成としてもよい。
【００５０】
次に、利用者は、パーソナルコンピュータ２のキーボードまたはマウス、およびパーソナルコンピュータ２のデータ入出力ポートを介して接続されたプリンタ等を操作し、各部材の属性データに対応する２次元コードをラベル用紙に印刷する（ステップＳ３）。
【００５１】
図４および図５は現場確認修正段階における携帯端末装置３の動作を示し、図６は携帯端末装置３のメモリに記憶されたアイテムデータを示している。これより、図２、図４ないし図６を参照しながら、現場確認修正段階における携帯端末装置３の動作等について説明する。
【００５２】
現場確認修正段階において、まず、利用者は、携帯端末装置３、および２次元コードが印刷されたラベルを携えて施工現場に赴き、設備に部材を組み付ける等の施工作業を行う。施工作業が終了したとき、あるいは施工作業途中の適切な段階で、利用者は、部材の組付状態等の施工状態を確認する作業を行う。
【００５３】
この確認作業において、利用者は、まず、部材に、当該部材の属性データに対応する２次元コードが印刷されたラベルを貼付する。
【００５４】
続いて、利用者は、携帯端末装置３を操作し、携帯端末装置３のメモリに記憶された上記施工管理プログラムを起動させる。これに応じ、携帯端末装置３のＣＰＵは、施工管理プログラムを起動し、ログイン画面３１を携帯端末装置３の表示器に表示する。そして、利用者が携帯端末装置３の入力キーを操作して所定のユーザ名およびパスワードを入力したとき、携帯端末装置３のＣＰＵは、携帯端末装置３のメモリに記憶されたユーザデータを読み出し、ユーザデータに含まれるユーザ名およびパスワードと、利用者により入力されたユーザ名およびパスワードとを照合し、これらが一致したときに限り、利用者に対し、ログインを許可する（ステップＳ４）。ログインを許可した場合、携帯端末装置３のＣＰＵは、表示器の表示をログイン画面３１から選択画面３２に切り換える。
【００５５】
次に、利用者は、携帯端末装置３の入力キーを操作し、あるいは携帯端末装置３がタッチパネルを備えている場合にはタッチパネルに触れ、選択画面３２中の２次元コード読取ボタン３３をオンにし、部材に貼付したラベルに印刷された２次元コードを携帯端末装置３のカメラで撮影する。このとき、携帯端末装置３の表示器には２次元コード３４が表示される。このような利用者の操作に応じ、携帯端末装置３のコード読取部１１が２次元コードを読み取り（ステップＳ５）、携帯端末装置３のデコード部１２が当該読み取った２次元コードをデコードする。これにより、当該２次元コードに対応する属性データが復元され、携帯端末装置３のメモリに記憶される（ステップＳ６）。続いて、携帯端末装置３の属性データ表示部１３が、デコード部１２により復元された属性データを記載した属性データ表示画面３５を生成し、この属性データ表示画面３５を携帯端末装置３の表示器に表示する（ステップＳ７）。
【００５６】
ここで、属性データ表示画面３５には、図５（１）に示すように、デコード部１２により復元された属性データ、すなわち、２次元コードを貼付した部材の設計上の属性データが所定のレイアウトに従って配置される。すなわち、属性データ表示画面３５中の左側の列には、属性データの種類を示す文字（現場名、項目、階数、工区、…）が配置される。属性データ表示画面３５中の中間部の列には、属性データの内容を示す文字（○○ビル、ハウジング継手、１０Ｆ、Ｗ１、…）が配置される。属性データの内容を示す文字は、テキスト入力フォーム５１中に記載される。これにより、属性データの内容は、利用者の操作に従って変更し、削除し、あるいは追加することができる。属性データ表示画面３５中の右側の列にはリスト表示ボタン５２が配置される。
【００５７】
利用者は、属性データ表示画面３５に表示された属性データと、実際に施工された部材の属性とを照らし合わせ、両者が一致するか否かを確認する。属性データ表示画面３５に表示された属性データと実際の部材の属性とが異なる場合には、利用者は、属性データの変更、削除または追加を行う。
【００５８】
属性データの変更を行うとき、利用者は、携帯端末装置３の入力キーを操作し、あるいは携帯端末装置３がタッチパネルを備えている場合にはタッチパネルに触れ、変更すべき属性データに対応するリスト表示ボタン５２をオンにする。これに応じ、携帯端末装置３の属性データ変更部１４は、当該属性データとして選択可能な選択肢を配列したリストを表示器に表示する。例えば、図５（２）に示すように、変更すべき属性データが部材の属する系統の「系統名」である場合、属性データ変更部１４は、「冷水」、「温水」、「冷温水」、「冷却水」といった選択肢を配置したリスト５３を表示器に表示する。
【００５９】
ここで、携帯端末装置３のメモリには、図６に示すようなアイテムデータが記憶されている。アイテムデータとは、属性データとして選択可能な選択肢を属性データの種類ごとに定義したデータである。属性データ変更部１４はアイテムデータを用いてリストを生成し、表示する。
【００６０】
このようなリストが表示された後、利用者は、携帯端末装置３の入力キーを操作し、あるいはタッチパネルに触れ、リスト中の所望の選択肢を選択する。これに応じ、属性データ変更部１４は、当該属性データの内容を選択された選択肢が指し示す内容に変更する（ステップＳ８）。この結果、表示器に表示された当該属性データの内容が、選択された選択肢が指し示す内容に変更され、携帯端末装置３のメモリに記憶されている当該属性データの内容も、選択された選択肢が指し示す内容に変更される。
【００６１】
また、利用者は、携帯端末装置３の入力キーを操作し、あるいはタッチパネルに触れることで、変更すべき属性データの内容（当該内容を示す文字列）を直接入力することもできる。また、利用者は、携帯端末装置３の入力キーを操作し、あるいはタッチパネルに触れることで、削除すべき属性データを削除することもできる。
【００６２】
さらに、利用者は、携帯端末装置３の入力キーを操作し、あるいはタッチパネルに触れることで、属性データを追加することもできる。例えば、図５（１）に示すように、利用者は、属性データ表示画面３５中の「その他１」または「その他２」に対応するリスト表示ボタン５２をオンにすることで、リストを表示し、リスト中に配列された選択肢を選択することで、新たな属性データを追加することができる。また、利用者は、属性データ表示画面３５中の「その他１」または「その他２」に対応するテキスト入力フォーム５１中に、追加すべき内容（当該内容を示す文字列）を直接入力することによっても、新たな属性データを追加することができる。
【００６３】
図５（３）は、変更後の属性データ表示画面３５の一例を示している。図５（１）に示す変更前の属性データ表示画面３５と、図５（３）に示す変更後の属性データ表示画面３５とを比較するとわかるように、系統名に係る属性データが冷却水から冷温水に変更され、種別に係る属性データには、「サイズ変更５０Ａ」といった内容が付加されている。さらに、新たな属性データとして、保温厚注意といった内容が追加されている。
【００６４】
属性データの変更、削除または追加が終了した後、利用者は、次に、携帯端末装置３を操作し、当該属性データの変更、削除または追加を行った部材を、携帯端末装置３のカメラで写真撮影する。例えば、利用者は、図５（１）に示す写真撮影ボタン５４をオンにすることで、写真撮影を行うことができる。利用者による操作に従い、携帯端末装置３の撮影部１５は、カメラにより写真撮影された当該部材の画像データを生成し、これを携帯端末装置３のメモリに記憶する（ステップＳ９）。写真撮影の際、携帯端末装置３の表示器には、図４に示すように当該部材を含む画像３６が映し出される。
【００６５】
次に、利用者は、携帯端末装置３を操作し、当該部材の属性データおよび画像データをメール送信する。例えば、利用者は、図５（１）に示すメール送信ボタン５６をオンにした後、図４中のメール送信確認画面３７のＹＥＳボタン３８をオンにすることで、属性データおよび画像データをメール送信することができる。利用者の操作に従い、携帯端末装置３のデータ送信部１６は、属性データ変更部１４により変更、削除または追加が加えられた属性データと、撮影部１５により生成された画像データとを含む施工状態データを、携帯端末装置３の通信回路を介して外部に送信する（ステップＳ１０）。なお、属性データの変更、削除、追加が一切行われなかった場合には、データ送信部１６は、デコード部１２により復元された属性データと画像データとを含む施工状態データを送信する。施工状態データの送信は、施工状態データを添付した電子メールをメール送信することにより行われる。
【００６６】
一方、利用者は、部材の写真撮影を行った後、施工現場において、撮影した部材の画像を確認することもできる。すなわち、利用者は、携帯端末装置３を操作することにより、図４中のサムネイル表示画面３９を表示して、撮影した部材のサムネイル画像を見ることができ、また、画像確認画面４０を表示して、サムネイル表示画面３９に表示された個々のサムネイル画像にそれぞれ対応する画像を見ることができる。さらに、利用者は、撮影した部材の画像に、確認者の氏名、確認日等の情報４１を付加することもできる。さらに、このように確認者の氏名、確認日等の情報４１を付加した画像データを、対応する属性データと共に施工状態データに含めてメール送信することもできる。また、利用者は、メール送信に係る設定や、メール送信する際の画像データのサイズ等を、携帯端末装置３を操作して適宜設定、変更することができる。
【００６７】
携帯端末装置３からメール送信された施工状態データは、移動体通信網およびインターネットを介してパーソナルコンピュータ２に受信され、パーソナルコンピュータ２のメールボックス５に記憶され、蓄積される。
【００６８】
図７はデータ反映段階におけるＣＡＤ装置４の動作を示している。これより、図２および図７を参照しながら、データ反映段階におけるＣＡＤ装置４の動作等について説明する。
【００６９】
データ反映段階において、利用者は、施工現場で変更、削除または追加された属性データ（実際上の属性データ）に、データ生成段階においてＣＡＤ装置４により生成され、パーソナルコンピュータ２のメモリに記憶されている属性データ（設計上の属性データ）を一致させると共に、施工現場で写真撮影したことにより得られた部材の画像データを設計上の属性データに付加する作業を行う。具体的には、利用者は、パーソナルコンピュータ２のキーボード、マウス等を操作し、パーソナルコンピュータ２のメールボックス５に蓄積された施工状態データのうち、当該作業に必要な施工状態データを選択し、当該選択した施工状態データをＣＡＤ装置４にインポートする（ステップＳ１１）。
【００７０】
このような利用者の操作に従い、ＣＡＤ装置４のデータインポート部９は、利用者により選択された施工状態データをメールボックス５から読み出し、当該施工状態データに含まれる属性データ（実際上の属性データ）と一致するように、パーソナルコンピュータ２のメモリに記憶された上記設計上の属性データを変更する。さらに、データインポート部９は、当該施工状態データに含まれる画像データを当該設計上の属性データに付加する。例えば当該画像データと当該設計上の属性データと間にリンクを形成し、当該画像データをパーソナルコンピュータ２のメモリ中の所定の領域に記憶する（ステップＳ１２）。
【００７１】
施工状態データがＣＡＤ装置４にインポートされた後は、図７に示すように、ＣＡＤ装置４のＣＡＤ部７により表示される画面２１において、部材オブジェクトウィンドウ２２中の属性データ６１の内容が、施工現場において変更、削除または追加された内容となり、さらに、部材オブジェクトウィンドウ２２中に、施工現場において写真撮影することにより得た部材の画像６２が表示されるようになる。
【００７２】
図８は施工記録書の一例を示している。これより、図２および図８を参照しながら、記録書生成段階における記録書生成装置６の動作等について説明する。
【００７３】
記録書生成段階において、利用者は、パーソナルコンピュータ２のキーボード、マウス等を操作し、パーソナルコンピュータ２のメールボックス５に蓄積された施工状態データのうち、施工記録書（帳票）の生成に必要な施工状態データを選択し、当該選択した施工状態データを記録書生成装置６に入力する（ステップＳ１３）。
【００７４】
このような利用者の操作に従い、記録書生成装置６は、利用者により選択された施工状態データをメールボックス５から読み出し、当該読み出した施工状態データを用いて、例えば図８に示すような施工記録書７１を生成する（ステップＳ１４）。施工記録書７１には、施工現場での変更、削除または追加が反映された属性データ７２と、施工現場で写真撮影することにより得た部材の画像７３が、所定のレイアウトに従って配置される。記録書生成装置６により生成された施工記録書７１は、パーソナルコンピュータ２のメモリに記憶され、プリンタを用いて必要に応じて記録用紙等に印刷することができる。
【００７５】
以上説明した通り、本発明の実施形態による施工管理システム１によれば、利用者は、施工現場において、２次元コードを介して部材の設計上の属性データを取得し、この属性データに基づいて、施工状態の確認作業、および施工状態に応じた属性データの修正作業を容易にかつ正確に行うことができる。
【００７６】
また、利用者は、施工現場において、携帯端末装置３を用いて属性データの変更、削除または追加を容易にかつ正確に行うことができる。特に、利用者は、属性データの選択可能な選択肢を選択するだけで属性データの変更または追加を行うことができ、これにより、属性データの変更および追加をより一層容易にかつより一層正確に行うことができる。
【００７７】
また、利用者は、施工現場において、施工状態に応じて変更、削除、追加した属性データおよび部材の画像データをメール送信することができる。そして、メール送信された属性データをＣＡＤ装置４にインポートするだけで、当該属性データの変更、削除、追加をＣＡＤ装置４により生成された設計上の属性データに反映することができる。また、メール送信された画像データをＣＡＤ装置４にインポートするだけで、当該画像データをＣＡＤ装置４により生成された設計上の属性データに付加することができる。したがって、施工現場における施工状態の記録を容易にかつ正確に行うことができる。
【００７８】
また、利用者は、実際の施工現場の施工状態、すなわち施工現場における属性データの変更、削除、追加が忠実に反映され、施工現場において施工された部材の画像が掲載された施工記録書を容易に作成することができる。
【００７９】
このように、本発明の実施形態による施工管理システム１によれば、施工管理の効率性および信頼性を高めることができる。
【００８０】
なお、上記実施形態では、施工状態データを電子メールに添付する形で携帯端末装置３からパーソナルコンピュータ２へ送信する場合を例にあげたが、本発明はこれに限らない。例えば、携帯端末装置３が施工状態データをサーバコンピュータにアップロードし、パーソナルコンピュータ２が当該施工状態データをサーバコンピュータからダウンロードする構成としてもよい。
【００８１】
また、上記実施形態では、１台のパーソナルコンピュータ２をＣＡＤ装置４と記録書生成装置６として機能させる場合を例にあげたが、本発明はこれに限らない。ＣＡＤ装置４として機能させるパーソナルコンピュータと、記録書作成装置として機能させるパーソナルコンピュータとのそれぞれを設ける構成としてもよい。この場合には、施工状態データを携帯端末装置３から双方のパーソナルコンピュータにそれぞれ送信する構成や、施工状態データを携帯端末装置３から中継のサーバコンピュータに一旦送信し、そして、当該施工状態データをサーバコンピュータから双方のパーソナルコンピュータにそれぞれ送信する構成を採用することができる。
【００８２】
また、本発明は、請求の範囲および明細書全体から読み取ることのできる発明の要旨または思想に反しない範囲で適宜変更可能であり、そのような変更を伴う施工管理システムおよび施工管理方法もまた本発明の技術思想に含まれる。
【符号の説明】
【００８３】
１  施工管理システム
２  パーソナルコンピュータ
３  携帯端末装置
４  ＣＡＤ装置
５  メールボックス（データ蓄積手段）
６  記録書作成装置（施工記録書生成手段）
７  ＣＡＤ部（属性データ生成手段、属性データ記憶手段）
８  エンコード部（エンコード手段）
９  データインポート部（画像付加手段）
１１  コード読取部（コード読取手段）
１２  デコード部（デコード手段）
１３  属性データ表示部（属性データ表示手段）
１４  属性データ変更部（属性データ変更手段、選択肢記憶手段）
１５  撮影部（撮影手段）
１６  データ送信部（データ送信手段）
２５Ａ、２５Ｂ、２５Ｃ、６１  属性データ
２６Ａ、２６Ｂ、２６Ｃ、３４  ２次元コード
５３  リスト
７１  施工記録書
【図１】
0005138068.tif 000002
【図２】
0005138068.tif 000003
【図３】
0005138068.tif 000004
【図４】
0005138068.tif 000005
【図５】
0005138068.tif 000006
【図６】
0005138068.tif 000007
【図７】
0005138068.tif 000008
【図８】
0005138068.tif 000009